(57)【要約】  母線１，２を備えた二重母線方式のガス絶縁開閉装置において、母線１を区分する第１の母線接続ユニットと母線２を区分する第２の母線接続ユニットを設け、第１の母線接続ユニットでは縦形の遮断器８に傾斜接続タンク１４を接続し、第２の母線接続ユニットでは縦形の遮断器２７に傾斜接続タンク１４よりも短寸の傾斜接続タンク２４を接続し、傾斜接続タンク１４，２４を互いに逆向きに傾斜させる。この構成により、第１および第２の母線接続ユニット間の寸法が縮小され、ガス絶縁開閉装置の据付面積を縮小することができる。
2012066616.tif 000002
【特許請求の範囲】
【請求項１】
第１の母線と、この第１の母線の下方に配置され前記第１の母線と平行な第２の母線と、前記第１の母線における対向する母線端部間に接続され前記第１の母線を区分する第１の母線接続ユニットと、前記第２の母線における対向する母線端部間に接続され前記第２の母線を区分する第２の母線接続ユニットとを備えた二重母線方式のガス絶縁開閉装置であって、
前記第１の母線接続ユニットは、前記第１の母線と直交する水平方向に引き出された分岐引出し口を有するとともに当該分岐引出し口に前記第１の母線の一方の母線端部が接続された縦形の第１の接続タンクと、この第１の接続タンクの上部に配置され前記第１の接続タンクの分岐引出し口と反対側に分岐引出し口を有する縦形の第１の遮断器と、この第１の遮断器の分岐引出し口に上端部の側面が接続され下端部が前記第１の母線の他方の母線端部側に配置され前記第１の接続タンクに対して傾斜した第１の傾斜接続タンクと、この第１の傾斜接続タンクの下端部に一端部が接続され前記第１の母線と直交する水平方向に延伸するとともに他端部が前記第１の母線の他方の母線端部に接続された第１の接続母線とを備え、
前記第２の母線接続ユニットは、前記第２の母線の延伸方向において前記第１の接続母線を挟んで前記第１の接続タンクと対向して配置され前記第２の母線と直交する水平方向に引き出された分岐引出し口を有するとともに当該分岐引出し口に前記第２の母線の一方の母線端部が接続された縦形の第２の接続タンクと、この第２の接続タンクの上部に配置され前記第２の接続タンクの分岐引出し口と反対側に分岐引出し口を有する縦形の第２の遮断器と、前記第１の傾斜接続タンクよりも長寸であって前記第２の遮断器の分岐引出し口に上端部の側面が接続され下端部が前記第１の傾斜接続タンクの下端部よりも下方に配置されるとともに前記第１の傾斜接続タンクと逆方向に傾斜した第２の傾斜接続タンクと、この第２の傾斜接続タンクの下端部に一端が接続され前記第１の接続母線と平行に延伸するとともに他端部が前記第２の母線の他方の母線端部に接続された第２の接続母線とを備えることを特徴とするガス絶縁開閉装置。
【請求項２】
前記第１の接続タンクは、前記第１の母線と直交する水平方向にそれぞれ引き出された上側および下側の分岐引出し口を有し、当該上側の分岐引出し口に前記第１の母線の一方の母線端部が接続され、
前記第２の接続タンクは、前記第２の母線と直交する水平方向にそれぞれ引き出された上側および下側の分岐引出し口を有し、当該下側の分岐引出し口に前記第２の母線の一方の母線端部が接続されていることを特徴とする請求項１に記載のガス絶縁開閉装置。
【請求項３】
前記第１および第２の接続母線は、前記第１および第２の母線の延伸方向において、少なくとも互いの一部が重なるよう配置されていることを特徴とする請求項２に記載のガス絶縁開閉装置。
【請求項４】
前記第１の母線接続ユニットは、前記第１の接続タンクの上側の分岐引出し口に接続されかつ前記第１の母線の一方の母線端部に接続された第１の断路器と、前記第１の接続母線の他端部に接続されかつ前記第１の母線の他方の母線端部に接続された第２の断路器とを備え、
前記第２の母線接続ユニットは、前記第２の接続タンクの下側の分岐引出し口に接続されかつ前記第２の母線の一方の母線端部に接続された第３の断路器と、前記第２の接続母線の他端部に接続されかつ前記第２の母線の他方の母線端部に接続された第４の断路器とを備えることを特徴とする請求項２に記載のガス絶縁開閉装置。
【請求項５】
前記第１の遮断器のタンクと前記第１の接続タンクとが互いに連結され、
前記第２の遮断器のタンクと前記第２の接続タンクとが互いに連結されていることを特徴とする請求項２に記載のガス絶縁開閉装置。
【請求項６】
前記第１の遮断器のタンクと前記第１の接続タンクとが一体に形成され、
前記第２の遮断器のタンクと前記第２の接続タンクとが一体に形成されていることを特徴とする請求項２に記載のガス絶縁開閉装置。
【請求項７】
前記第１の遮断器のタンク長は、前記第１の接続タンクのタンク長よりも短く、前記第２の遮断器のタンク長は、前記第２の接続タンクのタンク長よりも短いことを特徴とする請求項２に記載のガス絶縁開閉装置。
【請求項８】
前記第１および第２の接続タンクは互いに同じ形状および大きさであり、前記第１および第２の遮断器のタンクは互いに同じ形状および大きさであることを特徴とする請求項２に記載のガス絶縁開閉装置。
【請求項９】
前記第１の接続タンクの上側および下側の分岐引出し口はそれぞれ前記第１および第２の母線と同じ高さに配置され、
前記第２の接続タンクの上側および下側の分岐引出し口はそれぞれ前記第１および第２の母線と同じ高さに配置されていることを特徴とする請求項２に記載のガス絶縁開閉装置。
【請求項１０】
前記第１および第２の母線間を連絡する母線連絡ユニットを備え、
前記母線連絡ユニットは、前記第１および第２の接続タンクの分岐引出し口と同じ方向にそれぞれ引き出された上側および下側の分岐引出し口と当該上側および下側の分岐引出し口と反対側でかつ双方の間の高さで引き出された中間高さの分岐引出し口とを有するとともに当該上側の分岐引出し口には前記第１の母線が接続され当該下側の分岐引出し口には前記第２の母線が接続された縦形の第３の接続タンクと、この第３の接続タンクの上部に配置され前記第３の接続タンクの有する前記中間高さの分岐引出し口と同じ側に引き出された分岐引出し口を有する縦形の第３の遮断器と、この第３の遮断器の分岐引出し口に上端部の側面が接続され下端部の側面が前記中間高さの分岐引出し口に接続された縦形の第４の接続タンクとを備えることを特徴とする請求項２に記載のガス絶縁開閉装置。
【請求項１１】
前記母線連絡ユニットは、前記第３の接続タンクの下側の分岐引出し口に接続されかつ前記第２の母線に接続された第５の断路器と、前記第３の接続タンクの上側の分岐引出し口に接続されかつ前記第１の母線に接続された第６の断路器とを備えることを特徴とする請求項１０に記載のガス絶縁開閉装置。
【請求項１２】
前記第１〜第３の遮断器のタンクは互いに同じ形状および大きさであることを特徴とする請求項１０に記載のガス絶縁開閉装置。
【請求項１３】
前記第１および第２の母線に接続された線路ユニットを備え、
前記線路ユニットは、前記第１および第２の接続タンクの分岐引出し口と同じ方向にそれぞれ引き出された上側および下側の分岐引出し口を有するとともに当該上側の分岐引出し口には前記第１の母線が接続され当該下側の分岐引出し口には前記第２の母線が接続された縦形の第５の接続タンクと、この第５の接続タンクの上部に配置され前記第５の接続タンクの有する前記上側および下側の分岐引出し口と同じ側または反対側に引き出された分岐引出し口を有する縦形の第４の遮断器と、この第４の遮断器の分岐引出し口に接続された線路側機器とを備えることを特徴とする請求項２に記載のガス絶縁開閉装置。
【請求項１４】
前記第１、第２、および第５の接続タンクは互いに同じ形状および大きさであり、前記第１、第２、および第４の遮断器のタンクは互いに同じ形状および大きさであることを特徴とする請求項１３に記載のガス絶縁開閉装置。
【発明の詳細な説明】
【技術分野】
【０００１】
本発明は、ガス絶縁開閉装置に関するものである。
【背景技術】
【０００２】
特許文献１の図２５では、縦形の遮断器タンクと、この縦形の遮断器タンクの上側の分岐引出し口に接続された第１の母線と、この縦形の遮断器タンクの下側の分岐引出し口に接続された第２の母線とを備えた二重母線方式のガス絶縁開閉装置が記載されている。【０００３】
また、特許文献２の図４〜図６では、二重母線方式のガス絶縁開閉装置において、二重母線を構成する母線の一方に対して、この母線の途中に母線区分用の一対の断路器および当該断路器間に接続された遮断器を設けた構成例が示されている。具体的には、同一軸線上に配置された母線の区分箇所にて母線の端部を対向させ、その一方の端部に上方に延伸する第１の断路器を接続し、その他方の端部に上方に延伸しかつ第１の断路器のよりも長寸の第２の断路器を接続し、さらに縦形の遮断器を軸線方向と直交する方向において第１の断路器と対向させて配置している。そして、第１の断路器の分岐引出し口と遮断器の下側の分岐引出し口とを接続し、第２の断路器の分岐引出し口と遮断器の上側の分岐引出し口とを軸線方向に延伸する接続用母線等を用いて接続している。
【先行技術文献】
【特許文献】
【０００４】
【特許文献１】国際公開第２００７／１１６４７９号
【特許文献２】特開平１−２１４２０４号公報
【発明の概要】
【発明が解決しようとする課題】
【０００５】
上記のように、特許文献２のガス絶縁開閉装置では、母線を一対の断路器および遮断器を用いて開閉できるように構成している。この接続構造（以下、「母線接続ユニット」という。）では、二重母線のいずれか一方に対しては、断路器を二つ配置するスペースが必要となり、二重母線を構成する双方の母線に対しては、その２倍、すなわち、断路器を四つ配置するスペースが必要となる。すなわち、特許文献２の例では、母線数に応じて母線の軸線方向における母線接続ユニットの寸法が増大し、よってガス絶縁開閉装置の据付面積が増大するという問題点があった。【０００６】
本発明は、上記に鑑みてなされたものであって、据付面積の縮小化が可能な二重母線方式のガス絶縁開閉装置を提供することを目的とする。
【課題を解決するための手段】
【０００７】
上述した課題を解決し、目的を達成するために、本発明に係るガス絶縁開閉装置は、第１の母線と、この第１の母線の下方に配置され前記第１の母線と平行な第２の母線と、前記第１の母線における対向する母線端部間に接続され前記第１の母線を区分する第１の母線接続ユニットと、前記第２の母線における対向する母線端部間に接続され前記第２の母線を区分する第２の母線接続ユニットとを備えた二重母線方式のガス絶縁開閉装置であって、前記第１の母線接続ユニットは、前記第１の母線と直交する水平方向に引き出された分岐引出し口を有するとともに当該分岐引出し口に前記第１の母線の一方の母線端部が接続された縦形の第１の接続タンクと、この第１の接続タンクの上部に配置され前記第１の接続タンクの分岐引出し口と反対側に分岐引出し口を有する縦形の第１の遮断器と、この第１の遮断器の分岐引出し口に上端部の側面が接続され下端部が前記第１の母線の他方の母線端部側に配置され前記第１の接続タンクに対して傾斜した第１の傾斜接続タンクと、この第１の傾斜接続タンクの下端部に一端部が接続され前記第１の母線と直交する水平方向に延伸するとともに他端部が前記第１の母線の他方の母線端部に接続された第１の接続母線とを備え、前記第２の母線接続ユニットは、前記第２の母線の延伸方向において前記第１の接続母線を挟んで前記第１の接続タンクと対向して配置され前記第２の母線と直交する水平方向に引き出された分岐引出し口を有するとともに当該分岐引出し口に前記第２の母線の一方の母線端部が接続された縦形の第２の接続タンクと、この第２の接続タンクの上部に配置され前記第２の接続タンクの分岐引出し口と反対側に分岐引出し口を有する縦形の第２の遮断器と、前記第１の傾斜接続タンクよりも長寸であって前記第２の遮断器の分岐引出し口に上端部の側面が接続され下端部が前記第１の傾斜接続タンクの下端部よりも下方に配置されるとともに前記第１の傾斜接続タンクと逆方向に傾斜した第２の傾斜接続タンクと、この第２の傾斜接続タンクの下端部に一端が接続され前記第１の接続母線と平行に延伸するとともに他端部が前記第２の母線の他方の母線端部に接続された第２の接続母線とを備えることを特徴とする。
【発明の効果】
【０００８】
この発明によれば、二重母線方式のガス絶縁開閉装置において、第１および第２の母線接続ユニット間の寸法を縮小し、ガス絶縁開閉装置の据付面積を縮小することができる、という効果を奏する。
【図面の簡単な説明】
【０００９】
【図１】図１は、実施の形態１に係るガス絶縁開閉装置の配置構成の一例を示す上面図である。
【図２】図２は、実施の形態１に係るガス絶縁開閉装置の単線結線図である。
【図３】図３は、実施の形態１に係るガス絶縁開閉装置の母線接続ユニット（Ｉ）の構成を示す側面図であり、図１のＰ方向から見た図である。
【図４】図４は、母線接続ユニット（Ｉ）の単線結線図である。
【図５】図５は、図１または図３のＡ−Ａ矢視断面図である。
【図６】図６は、図１または図３のＢ−Ｂ矢視断面図である。
【図７】図７は、図１または図３のＣ−Ｃ矢視断面図である。
【図８】図８は、実施の形態２に係るガス絶縁開閉装置の母線連絡ユニット（ＩＩ）の構成を示す側面図である。
【図９】図９は、母線接続ユニット（ＩＩ）の単線結線図である。
【図１０】図１０は、実施の形態３に係るガス絶縁開閉装置の線路ユニット（ＩＩＩ）の構成を示す側面図である。
【図１１】図１１は、線路ユニット（ＩＩＩ）の単線結線図である。
【発明を実施するための形態】
【００１０】
以下に、本発明に係るガス絶縁開閉装置の実施の形態を図面に基づいて詳細に説明する。なお、これらの実施の形態によりこの発明が限定されるものではない。
【００１１】
実施の形態１．
図１は、本実施の形態に係るガス絶縁開閉装置の配置構成の一例を示す上面図、図２は、本実施の形態に係るガス絶縁開閉装置の単線結線図である。図１および図２に示すように、本実施の形態に係るガス絶縁開閉装置は、母線１，２からなる二重母線方式のガス絶縁開閉装置であって、母線１，２の途中に設けられた母線接続ユニット（Ｉ）と、母線１，２間を連絡する母線連絡ユニット（ＩＩ）と、例えばケーブルヘッド等の線路機器を含む送受電用の線路ユニット（ＩＩＩ）と、を備え、これらのユニットを母線１，２で互いに接続して構成される。図２は、図１の配置構成に対応する単線結線図であり、図２では、ＣＨＤはケーブルヘッドを、ＶＴは計器用変圧器を、ＥＳは接地開閉器を、ＤＳ／ＥＳは接地開閉器付きの断路器を、ＤＳは断路器を、ＣＴは計器用変流器を、ＣＢは遮断器をそれぞれ示している。また、図１，図２において、線路ユニット（ＩＩＩ）の設置個数は、具体的な構成に応じて適宜増減することができる。本実施の形態では、母線接続ユニット（Ｉ）の構成について説明する。
【００１２】
図３は、本実施の形態に係るガス絶縁開閉装置の母線接続ユニット（Ｉ）の構成を示す側面図であり、図１のＰ方向から見た図、図４は、母線接続ユニット（Ｉ）の単線結線図、図５は、図１または図３のＡ−Ａ矢視断面図、図６は、図１または図３のＢ−Ｂ矢視断面図、図７は、図１または図３のＣ−Ｃ矢視断面図である。
【００１３】
母線接続ユニット（Ｉ）は、母線１用の母線接続ユニット（第１の母線接続ユニット）と母線２用の母線接続ユニット（第２の母線接続ユニット）とからなる。まず、図４に示すように、母線１（第１の母線）の途中には、接地開閉器２２（ＥＳ）と接地開閉器付きの断路器３５（ＤＳ／ＥＳ）と計器用変流器３４（ＣＴ）と遮断器２５（ＣＢ）と計器用変流器３３（ＣＴ）と接地開閉器付きの断路器２０（ＤＳ／ＥＳ）と、接地開閉器１９（ＥＳ）とを備えた母線１用の母線接続ユニットが設けられている。また、母線２（第２の母線）の途中には、接地開閉器９（ＥＳ）、接地開閉器付きの断路器１７（ＤＳ／ＥＳ）と計器用変流器１１（ＣＴ）と遮断器８（ＣＢ）と計器用変流器７（ＣＴ）と接地開閉器付きの断路器５（ＤＳ／ＥＳ）と接地開閉器４（ＥＳ）を備えた母線１用の母線接続ユニットが設けられている。
【００１４】
次に、母線接続ユニット（Ｉ）の配置構成を図１、図３、図５〜図７を参照して説明する。まず、母線２用の母線接続ユニット（第２の母線接続ユニット）の配置構成について説明する。母線２用の母線接続ユニットでは、例えば２個の分岐引出し口を側面に備えた筒状の接続タンク３（第２の接続タンク）がその軸線を据付面に対して垂直に設置されている。すなわち、接続タンク３はいわゆる縦形である。また、接続タンク３の側面からは例えば下側の分岐引出し口３ａと上側の分岐引出し口３ｂが同じ向きに略水平に引き出されている。また、分岐引出し口３ａは例えば母線２と同じ高さに、分岐引出し口３ｂは例えば母線１と同じ高さに設けられている。
【００１５】
分岐引出し口３ａには、接地開閉器付きの断路器５（第３の断路器）が接続されている。また、断路器５の上部にはその操作装置６が設けられ、断路器５の側面には接地開閉器４が設けられ、接地開閉器４にはその操作装置９０が設けられている。なお、断路器５は接地開閉器付きとしなくてもよい。
【００１６】
母線２は、分岐引出し口３ａ、３ｂの軸線および接続タンク３の軸線と略直交する方向に延伸している。また、母線２は、母線２用の母線接続ユニットの設置箇所において、母線端部が互いに対向して配置されている。したがって、図３に示すように、母線２の母線端部間には間隙２６が設けられている。なお、母線２は、略水平に延設されている。断路器５は、母線２の対向する母線端部のうちの一方に接続されている。また、母線２の上方には母線２と略平行に母線１が延設されている。
【００１７】
接続タンク３の内部には、断路器５に接続された導体が配設され、通電部であるこの導体は接続タンク３の上部に配置された遮断器８（第２の遮断器）に導かれている。また、接続タンク３の内側上部には環状の計器用変流器７が配置されている。計器用変流器７は、接続タンク３内に配設された導体を周回し、導体に流れる電流を計測する。なお、上側の分岐引出し口３ｂには、機器が接続されておらず、蓋で閉塞されている。
【００１８】
接続タンク３の上部には、縦形の遮断器８が配置されている。すなわち、遮断器８は、筒状の遮断器タンク内に遮断部１０を収納して構成され、遮断器タンクは接続タンク３と同一軸線上に配置されて例えばそれぞれのフランジを締結することで互いに連結されている。遮断器８の遮断器タンクの長さは、例えば接続タンク３の長さよりも短い。また、遮断器８の遮断器タンクの側面には例えば１個の分岐引出し口８ａが設けられている。分岐引出し口８ａは、遮断器タンクの軸線と略直交する方向に略水平に引き出され、その引出し方向は例えば分岐引出し口３ａ，３ｂと逆向きである。なお、遮断器８の遮断器タンクと接続タンク３を一体に形成することもできる。すなわち、接続タンク３を含めて遮断器８の遮断器タンクとすることもできる。この場合、遮断器８は、三つの分岐引出し口３ａ，３ｂ，８ａを有することとなる。
【００１９】
接続タンク３内の導体は遮断部１０の一端部に接続されている。また、遮断部１０の他端部に接続された導体は分岐引出し口８ａを介して傾斜接続タンク１４内に導かれている。また、分岐引出し口８ａの内部には環状の計器用変流器１１が配置されている。計器用変流器１１は、分岐引出し口８ａ内に配設された導体を周回し、この導体に流れる電流を計測する。
【００２０】
遮断器８の上部には、遮断器８の操作装置１２が設けられている。また、遮断器８の側方にはＬＣＰ（回路制御盤：Local
Control Panel)１３が設けられている。ＬＣＰ１３は、開閉指令信号を受信して操作装置１２を駆動させる。
【００２１】
分岐引出し口８ａには、筒状の傾斜接続タンク１４（第２の傾斜接続タンク）が接続されている。傾斜接続タンク１４の軸線は、遮断器８または接続タンク３の軸線に対して斜めに配置されている。また、傾斜接続タンク１４の上端部の側面は分岐引出し口８ａに接続されている。すなわち、傾斜接続タンク１４の上端部の側面には分岐引出し口１４ａが設けられており、この分岐引出し口１４ａと遮断器８の分岐引出し口８ａとが連結されている。分岐引出し口１４ａは、分岐引出し口８ａの軸線と略平行に引き出されている。そして、傾斜接続タンク１４の下端部は接続タンク２７側に配置され、よって上記のように接続タンク３の軸線に対して傾斜している。なお、接続タンク２７は母線１用の母線接続ユニットを構成し、母線１，２と平行な方向において接続タンク３と対向して配置されている。
【００２２】
傾斜接続タンク１４の下端部には略Ｌ字形状の接続タンク１５が連結され、傾斜接続タンク１４にはこの接続タンク１５を介して略水平に延伸する接続母線１６（第２の接続母線）が接続されている。接続母線１６は、母線１，２と略直交する方向に延伸している。さらに、接続母線１６の一端部には接地開閉器付きの断路器１７（第４の断路器）が接続されている。すなわち、接続母線１６の一端部には断路器１７が接続され、その他端部には接続タンク１５，傾斜接続タンク１４が接続されている。
【００２３】
接続母線１６は、接続タンク３と接続タンク２７との間に配置され、その延伸方向は接続タンク３、２７の軸線と略直交する方向である。また、断路器１７の上部にはその操作装置１８が設けられ、断路器１７の側面には接地開閉器９が設けられ、接地開閉器９にはその操作装置９１が設けられている。なお、断路器１７は接地開閉器付きとしなくてもよい。接続母線１６は筒状の接続母線タンク内に導体を収納して構成され、この導体は遮断部３２と接続されている。
【００２４】
上記のように、母線２は、母線２用の母線接続ユニットの設置箇所において、母線端部が互いに対向して配置され、対向する母線端部のうちの一方には断路器５が接続され、対向する母線端部のうちの他方には断路器１７が接続されている。そして、母線２用の母線接続ユニットは、母線１を開閉可能に接続することにより母線１を区分する。
【００２５】
次に、母線１用の母線接続ユニット（第１の母線接続ユニット）の配置構成について説明する。母線１用の母線接続ユニットでは、例えば２個の分岐引出し口を側面に備えた筒状の接続タンク２７（第１の接続タンク）がその軸線を据付面に対して垂直に設置されている。すなわち、接続タンク２７はいわゆる縦形である。また、接続タンク２７の側面からは例えば下側の分岐引出し口２７ａと上側の分岐引出し口２７ｂが同じ向きに略水平に引き出されている。なお、分岐引出し口２７ａ，２７ｂの引出し方向は、分岐引出し口３ａ，３ｂの引出し方向と同じ方向である。また、分岐引出し口２７ａは例えば母線２と同じ高さに、分岐引出し口２７ｂは例えば母線１と同じ高さに設けられている。
【００２６】
分岐引出し口２７ｂには、接地開閉器付きの断路器３５（第１の断路器）が接続されている。また、断路器３５の上部にはその操作装置３６が設けられ、断路器３５の側面には接地開閉器２２が設けられ、接地開閉器２２にはその操作装置９２が設けられている。なお、断路器３５は接地開閉器付きとしなくてもよい。
【００２７】
母線１は、分岐引出し口２７ａ、２７ｂの軸線および接続タンク２７の軸線と略直交する方向に延伸している。また、母線１は、略水平に延設され、母線２の上方に略平行に配置されている。そして、母線１は、母線１用の母線接続ユニットの設置箇所において、母線端部が互いに対向して配置されている。したがって、図３に示すように、母線１の母線端部間には間隙８１が設けられている。断路器３５は、母線１の対向する母線端部のうちの一方に接続されている。
【００２８】
接続タンク２７の内部には、断路器３５に接続された導体が配設され、通電部であるこの導体は接続タンク２７の上部に配置された遮断器２５（第１の遮断器）に導かれている。また、接続タンク２７の内側上部には環状の計器用変流器３４が配置されている。計器用変流器３４は、接続タンク２７内に配設された導体を周回し、導体に流れる電流を計測する。なお、下側の分岐引出し口２７ａには、機器が接続されておらず、蓋で閉塞されている。
【００２９】
接続タンク２７の上部には、縦形の遮断器２５が配置されている。すなわち、遮断器２５は、筒状の遮断器タンク内に遮断部３２を収納して構成され、遮断器タンクは接続タンク３７と同一軸線上に配置されて例えばそれぞれのフランジを締結することで互いに連結されている。遮断器２５の遮断器タンクの長さは、例えば接続タンク２７の長さよりも短い。また、遮断器２５の遮断器タンクの側面には例えば１個の分岐引出し口２５ａが設けられている。分岐引出し口２５ａは、遮断器タンクの軸線と直交する方向に略水平に引き出され、その引出し方向は例えば分岐引出し口２７ａ，２７ｂと逆向きである。なお、遮断器２５の遮断器タンクと接続タンク２７を一体に形成することもできる。すなわち、接続タンク２７を含めて遮断器２５の遮断器タンクとすることもできる。この場合、遮断器２５は、三つの分岐引出し口２７ａ，２７ｂ，２５ａを有することとなる。接続タンク２７は接続タンク３と同じ形状および大きさとすることができる。また、遮断器２５の遮断器タンクと遮断器８の遮断器タンクを同じ形状および大きさとすることができる。
【００３０】
接続タンク２７内の導体は遮断部３２の一端部に接続されている。また、遮断部３２の他端部に接続された導体は分岐引出し口２５ａを介して傾斜接続タンク２４内に導かれている。また、分岐引出し口２５ａの内部には環状の計器用変流器３３が配置されている。計器用変流器３３は、分岐引出し口２５ａ内に配設された導体を周回し、この導体に流れる電流を計測する。
【００３１】
遮断器２５の上部には、遮断器２５の操作装置３０が設けられている。また、遮断器２５の側方にはＬＣＰ（回路制御盤：Local Control Panel)３１が設けられている。
【００３２】
分岐引出し口２５ａには、筒状の傾斜接続タンク２４（第１の傾斜接続タンク）が接続されている。傾斜接続タンク２４の軸線は、遮断器２５または接続タンク２７の軸線に対して斜めに配置されている。また、傾斜接続タンク２４の上端部の側面は分岐引出し口２５ａに接続されている。すなわち、傾斜接続タンク２４の上端部の側面には分岐引出し口２４ａが設けられており、この分岐引出し口２４ａと遮断器２５の分岐引出し口２５ａとが連結されている。分岐引出し口２４ａは、分岐引出し口２５ａの軸線と略平行に引き出されている。傾斜接続タンク２４は、傾斜接続タンク１４よりも短寸である。すなわち、傾斜接続タンク２４の軸線方向の長さは、傾斜接続タンク１４の軸線方向の長さよりも短い。そして、傾斜接続タンク２４の下端部は、接続タンク３側に配置され、よって傾斜接続タンク２４は傾斜接続タンク１４と逆向きに傾斜している。また、傾斜接続タンク１４の下端部は、傾斜接続タンク２４の下端部よりも下方に配置されている。
【００３３】
図３に示すように、本実施の形態では、寸法の異なる傾斜接続タンク１４，２４が互いに逆向きに傾斜し、傾斜接続タンク１４に接続された接続母線１６と傾斜接続タンク２４に接続された接続母線２２とが母線１，２の軸線方向において少なくとも互いの一部が重なるよう配置されている。すなわち、接続母線１６，２２は互いに離間して配置されてはいるが、例えば上から下へ平面視した場合には少なくとも互いの一部が重なるよう配置されている。なお、図３では、傾斜接続タンク２４の下端部は傾斜接続タンク１４の下端部からみて斜め上方に配置され、平面視で接続母線１６，２２の互いの一部が重なるように配置されているが、遮断器２５の長さを調整するなどして、傾斜接続タンク１４の下端部の鉛直上方に傾斜接続タンク２４の下端部が配置するよう構成し、平面視で接続母線１６，２２が互いに完全に重なるように配置することもできる。
【００３４】
傾斜接続タンク２４の下端部には略Ｌ字形状の接続タンク２３が連結され、傾斜接続タンク２４にはこの接続タンク２３を介して略水平に延伸する接続母線２２（第１の接続母線）が接続されている。さらに、接続母線２２の一端部には接地開閉器付きの断路器２０（第２の断路器）が接続されている。すなわち、接続母線２２の一端部には断路器２０が接続され、その他端部には接続タンク２３、傾斜接続タンク２４が接続されている。
【００３５】
接続母線２２は、接続タンク３と接続タンク２７との間に配置され、接続母線１６と略平行であり、接続母線１６からみて上方、具体的には遮断器２５側の斜め上方に配置されている。断路器２０の上部にはその操作装置２１が設けられ、断路器２０の側面には接地開閉器１９が設けられ、接地開閉器１９にはその操作装置９３が設けられている。なお、断路器２０は接地開閉器付きとしなくてもよい。接続母線２２は筒状の接続母線タンク内に導体を収納して構成され、この導体は遮断部３２と接続されている。断路器５，１７，２０，３５は、それぞれ例えば母線一体形の断路器を構成している。
【００３６】
上記のように、母線１は、母線１用の母線接続ユニットの設置箇所において、母線端部が互いに対向して配置され、対向する母線端部のうちの一方には断路器３５が接続され、対向する母線端部のうちの他方には断路器２０が接続されている。そして、母線１用の母線接続ユニットは、母線１を開閉可能に接続することにより母線１を区分する。
【００３７】
本実施の形態では、寸法の異なる傾斜接続タンク１４，２４を互いに逆向きに傾斜させ、傾斜接続タンク１４に接続された接続母線１６と傾斜接続タンク２４に接続された接続母線２２とを母線１，２の軸線方向において少なくとも互いの一部が重なるよう配置している。すなわち、接続母線１６，２２は互いに離間して配置されてはいるが、例えば上から下へ平面視した場合には少なくとも互いの一部が重なるよう配置している。この配置構成によれば、接続母線１６，２２の母線１，２の軸線方向における間隔が縮小されるので、母線接続ユニット（Ｉ）の母線１，２の軸線方向における寸法を縮小することができ（つまり、第１および第２の母線接続ユニットのユニット間距離を縮小できる）、ガス絶縁開閉装置の据付面積の縮小化が実現される。
【００３８】
一方、特許文献２の図４〜図６に示す構成では、二重母線を構成する一方の母線を一対の断路器および遮断器を用いて開閉できるように構成している。この接続構造では、二重母線を構成する双方の母線に対しては、断路器を四つ配置するスペースが必要となる。他方、本実施の形態では、母線接続ユニット（Ｉ）の母線１，２の軸線方向における寸法は、断路器をほぼ三つ配置する分のスペースで済むので、従来に比べてガス絶縁開閉装置の母線１，２の軸線方向における寸法が縮小される。なお、特許文献２の図１〜３では、断路器間を斜めの接続母線で接続する構成例が示されているが、この構成には遮断器は含まれておらず、遮断器を用いた母線区分用開閉装置に変更するためには斜めの接続母線を取り外す必要があり、これを実際に行ったものが図４〜図６に示す構成である。よって、特許文献２の図１〜３は、斜めの接続母線を用いてはいるものの、その機能および構成のいずれも本実施の形態とは異なる。
【００３９】
また、本実施の形態では、例えば、遮断器８の遮断器タンクと接続タンク３とが互いに連結され、遮断器２５のタンクと接続タンク２７とが互いに連結されている。この構成によれば、遮断器８，２５はいずれも小型化され、その構造も簡素化される。また、この構成によれば、遮断器８，２５のみを解体するときに、解体箇所が限定されるのでその作業が容易となり、さらに解体箇所のガス区分も限定されるので、ガス漏れ防止の作業も容易となる。さらにまた、後述するように、遮断器８，２５は、その形状を他のユニットとの間で共通化することができる。
【００４０】
一方、遮断器８の遮断器タンクと接続タンク３とを一体に形成し、遮断器２５のタンクと接続タンク２７とを一体に形成した場合は、部品点数を減らすことができる。
【００４１】
なお、本実施の形態では、第１および第２の母線接続ユニットのいずれにも傾斜接続タンクを設ける構成としているが、いずれか一方のみに傾斜接続タンクを設ける構成でも母線接続ユニット（Ｉ）の母線１，２の軸線方向における寸法を縮小することができる。
【００４２】
例えば第２の母線接続ユニットのみに傾斜接続タンクを設けるとした場合、図３において、傾斜接続タンク１４はそのままで、傾斜接続タンク２４の代わりに、分岐引出し口２５ａと接続タンク２３とを接続する例えばＬ字形状のタンクを設けることで、母線接続ユニット（Ｉ）の母線１，２の軸線方向における長さを同図の状態に保つことができる。つまり、接続タンク３と接続タンク２７を所定の間隔で配置し、第１または第２の母線接続ユニットの一方に傾斜接続タンクを設け、他方のユニットでは接続タンク３，２７間の利用可能なスペースにその接続母線を配置し、その接続母線と遮断器の分岐引出し口を接続するよう傾斜接続タンクに代わるタンクを設ければよい。なお、本実施の形態では、傾斜接続タンク１４，２４はいずれも直線状であるのでタンクの構造が簡素化される。
【００４３】
また、本実施の形態では、接続タンク３は分岐引出し口３ａ，３ｂを有し、接続タンク２７は分岐引出し口２７ａ，２７ｂを有するとした。しかしながら、分岐引出し口３ｂ，２７ａには機器が接続されていない。したがって、接続タンク３，２７にそれぞれ設ける分岐引出し口の個数を１個とし、接続タンク３には分岐引出し口３ａのみを設け、接続タンク２７には分岐引出し口２７ｂのみを設けることでも同様の効果が得られる。ただし、本実施の形態によれば、接続タンク３，２７に対して同一の形状および大きさのタンクを適用することになり、それぞれに対して専用品を作成する場合に比べてコストが低減する。
【００４４】
実施の形態２．
本実施の形態では、図１、図２で説明した母線連絡ユニット（ＩＩ）の構成について説明する。母線接続ユニット（Ｉ）については、実施の形態１で説明したとおりである。図８は、本実施の形態に係るガス絶縁開閉装置の母線連絡ユニット（ＩＩ）の構成を示す側面図、図９は、母線接続ユニット（ＩＩ）の単線結線図である。以下、図１、図２、図８、図９を参照して説明する。
【００４５】
図９に示すように、母線連絡ユニット（ＩＩ）は、母線１と母線２との間を連絡するものであり、母線１，２間には、接地開閉器付きの断路器４３、計器用変流器４６、遮断器４７、計器用変流器５０、および接地開閉器付きの断路器４０が順に直列に接続されている。
【００４６】
図８に示すように、例えば３個の分岐引出し口４２ａ，４２ｂ，４２ｃを側面に備えた筒状の接続タンク４２（第３の接続タンク）がその軸線を据付面に対して垂直に設置されている。すなわち、接続タンク４２はいわゆる縦形である。
【００４７】
分岐引出し口４２ａ，４２ｂの引き出し方向は、実施の形態１で説明した母線接続ユニット（Ｉ）における分岐引きし口３ａ，３ｂ，２７ａ，２７ｂと同じ方向である。分岐引出し口４２ｃは例えば分岐引出し口４２ａ，４２ｂと反対側に引き出されている。また、分岐引出し口４２ａは例えば母線２と同じ高さに設けられ、分岐引出し口４２ｂは例えば母線１と同じ高さに設けられ、分岐引出し口４２ｃは例えば分岐引出し口４２ａと分岐引出し口４２ｂとの中間の高さに設けられている。母線１，２は、分岐引出し口４２ａ，４２ｂの軸線および接続タンク４２の軸線と略直交する方向に延伸している。
【００４８】
分岐引出し口４２ａには、接地開閉器付きの断路器４０（第５の断路器）が接続されている。また、断路器４０の上部にはその操作装置４１が設けられている。なお、断路器４０は接地開閉器付きとしなくてもよい。また、断路器４０には母線２が接続されている。断路器４０は、例えば母線一体形の断路器を構成している。
【００４９】
分岐引出し口４２ｂには、接地開閉器付きの断路器４３（第６の断路器）が接続されている。また、断路器４３の上部にはその操作装置４４が設けられている。なお、断路器４３は接地開閉器付きとしなくてもよい。また、断路器４３には母線１が接続されている。断路器４３は、例えば母線一体形の断路器を構成している。
【００５０】
接続タンク４２の内部には、断路器４３に接続された導体が配設され、通電部であるこの導体は接続タンク４２の上部に配置された遮断器４７（第３の遮断器）に導かれている。また、接続タンク４２の内側上部には環状の計器用変流器４６が配置されている。計器用変流器４６は、接続タンク４２内に配設された導体を周回し、導体に流れる電流を計測する。
【００５１】
接続タンク４２の上部には、縦形の遮断器４７が配置されている。すなわち、遮断器４７は、筒状の遮断器タンク内に遮断部４９を収納して構成され、遮断器タンクは接続タンク４２と同一軸線上に配置されて例えばそれぞれのフランジを締結することで互いに連結されている。遮断器４７の遮断器タンクの長さは、例えば接続タンク４２の長さよりも短い。また、遮断器４７の遮断器タンクの側面には例えば１個の分岐引出し口４７ａが設けられている。分岐引出し口４７ａは、遮断器タンクの軸線と略直交する方向に略水平に引き出され、その引出し方向は例えば分岐引出し口４２ａ，４２ｂと逆向きである。なお、遮断器４７の遮断器タンクと接続タンク４２を一体に形成することもできる。すなわち、接続タンク４２を含めて遮断器４７の遮断器タンクとすることもできる。この場合、遮断器４７は、四つの分岐引出し口４２ａ〜４２ｃ，４７ａを有することとなる。
【００５２】
また、図示例では、遮断器４７の遮断器タンクは、実施の形態１で説明した母線接続ユニット（Ｉ）の遮断器８，２５と同じ形状および大きさである。この場合、遮断器タンクの共通化がされるという利点がある。さらにまた、接続タンク４２は、分岐引出し口４２ｃが設けられていることを除けば、実施の形態１で説明した母線接続ユニット（Ｉ）の接続タンク３，２７と同じ形状および大きさである。
【００５３】
接続タンク４２内に配設された導体は、断路器４３に接続されるとともに遮断部４９の一端部に接続されている。また、遮断部４９の他端部に接続された導体は分岐引出し口４７ａを介して接続タンク８２内に導かれている。また、分岐引出し口４７ａの内部には環状の計器用変流器５０が配置されている。計器用変流器５０は、分岐引出し口４７ａ内に配設された導体を周回し、この導体に流れる電流を計測する。
【００５４】
遮断器４７の上部には、遮断器４７の操作装置５１が設けられている。また、遮断器４７の側方にはＬＣＰ（回路制御盤：Local Control Panel)５２が設けられている。
【００５５】
分岐引出し口４７ａには、筒状の接続タンク８２（第４の接続タンク）が接続されている。接続タンク８２の軸線は、遮断器４７および接続タンク４２の軸線と平行である。すなわち、接続タンク８２はいわゆる縦形である。また、接続タンク８２の上端部の側面は分岐引出し口４７ａに接続されている。すなわち、接続タンク８２の上端部の側面には分岐引出し口８２ａが設けられており、この分岐引出し口８２ａと遮断器４７の分岐引出し口４７ａとが連結されている。ここで、分岐引出し口８２ａは、分岐引出し口４７ａの軸線と略平行に引き出されている。また、接続タンク８２の下端部の側面には分岐引出し口８２ｂが設けられており、この分岐引出し口８２ｂと接続タンク４２の分岐引出し口４２ｃとが連結されている。ここで、分岐引出し口８２ｂは、分岐引出し口４２ｃの軸線と略平行に引き出されている。
【００５６】
遮断部４９の上記他端部に接続された導体は、接続タンク８２を経て、接続タンク４２に導かれ、さらに断路器４０に接続される。
【００５７】
本実施の形態では、遮断器４７の下部に接続タンク４２を設けるようにしたので、母線接続ユニット（Ｉ）で用いられる遮断器８，２５と同じ形状および大きさの遮断器タンクを用いることができ、遮断器タンクを共通化して製造コストを低減することができる。さらにまた、接続タンク４２の形状は、分岐引出し口４２ｃの部分を除けば、母線接続ユニット（Ｉ）で用いられる接続タンク３、２７と同じ形状および大きさであるので、同様に製造コストの低下につながる。
【００５８】
実施の形態３．
本実施の形態では、図１、図２で説明した線路ユニット（ＩＩＩ）の構成について説明する。母線接続ユニット（Ｉ）、母線連絡ユニット（ＩＩ）については、実施の形態１，２で説明したとおりである。図１０は、本実施の形態に係るガス絶縁開閉装置の線路ユニット（ＩＩＩ）の構成を示す側面図、図１１は、線路ユニット（ＩＩＩ）の単線結線図である。以下、図１、図２、図１０、図１１を参照して説明する。
【００５９】
図１１に示すように、線路ユニット（ＩＩＩ）では、母線１に接続された接地開閉器付きの断路器５８と、母線２に接続された接地開閉器５５と、断路器５８および接地開閉器５５の双方に接続された計器用変流器６０と、計器用変流器６０に接続された遮断器６１と、遮断器６１に接続された計器用変流器６３と、計器用変流器６３に接続された接地開閉器付きの断路器７０と、断路器７０にそれぞれ接続された計器用変圧器７２、ケーブルヘッド６４および接地開閉器６６とを備えている。
【００６０】
図１０に示すように、例えば２個の分岐引出し口５７ａ，５７ｂを側面に備えた筒状の接続タンク５７（第５の接続タンク）がその軸線を据付面に対して垂直に設置されている。すなわち、接続タンク５７はいわゆる縦形である。
【００６１】
分岐引出し口５７ａ，５７ｂの引き出し方向は、実施の形態１で説明した母線接続ユニット（Ｉ）における分岐引きし口３ａ，３ｂ，２７ａ，２７ｂと同じ方向である。また、分岐引出し口５７ａは例えば母線２と同じ高さに設けられ、分岐引出し口５７ｂは例えば母線１と同じ高さに設けられている。
【００６２】
分岐引出し口５７ａには、接地開閉器５５が接続されている。また、接地開閉器５５の上部にはその操作装置５６が設けられている。なお、接地開閉器５５の代わりに例えば接地開閉器付きの断路器を設けることもできる。
【００６３】
分岐引出し口５７ｂには、接地開閉器付きの断路器５８（第７の断路器）が接続されている。また、断路器５８の上部にはその操作装置５９が設けられている。なお、断路器５８は接地開閉器付きとしなくてもよい。また、断路器５８には母線１が接続されている。断路器５８は、例えば母線一体形の断路器を構成している。
【００６４】
接続タンク５７の内部には、断路器５８および接地開閉器５５に接続された導体が配設され、通電部であるこの導体は接続タンク５７の上部に配置された遮断器６１（第４の遮断器）に導かれている。また、接続タンク５７の内側上部には環状の計器用変流器６０が配置されている。計器用変流器６０は、接続タンク５７内に配設された導体を周回し、導体に流れる電流を計測する。
【００６５】
接続タンク５７の上部には、縦形の遮断器６１が配置されている。すなわち、遮断器６１は、筒状の遮断器タンク内に遮断部６２を収納して構成され、遮断器タンクは接続タンク５７と同一軸線上に配置されて例えばそれぞれのフランジを締結することで互いに連結されている。遮断器６１の遮断器タンクの長さは、例えば接続タンク５７の長さよりも短い。また、遮断器６１の遮断器タンクの側面には例えば１個の分岐引出し口６１ａが設けられている。分岐引出し口６１ａは、遮断器タンクの軸線と略直交する方向に略水平に引き出され、その引出し方向は例えば分岐引出し口５７ａ，５７ｂと逆向きである。なお、遮断器６１の遮断器タンクと接続タンク５７を一体に形成することもできる。すなわち、接続タンク５７を含めて遮断器６１の遮断器タンクとすることもできる。この場合、遮断器６１は、三つの分岐引出し口５７ａ，５７ｂ，６１ａを有することとなる。
【００６６】
また、図示例では、遮断器６１の遮断器タンクは、実施の形態１で説明した母線接続ユニット（Ｉ）の遮断器８，２５と同じ形状および大きさである。この場合、遮断器タンクの共通化がされるという利点がある。さらにまた、接続タンク５７は、実施の形態１で説明した母線接続ユニット（Ｉ）の接続タンク３，２７と同じ形状および大きさである。
【００６７】
接続タンク５７内に配設された導体は、遮断部６２の一端部に接続されている。また、分岐引出し口６１ａの内部には環状の計器用変流器６３が配置されている。計器用変流器６３は、分岐引出し口６１ａ内に配設された導体を周回し、この導体に流れる電流を計測する。
【００６８】
また、遮断部６２の他端部に接続された導体は分岐引出し口６１ａを介して線路側機器に接続されている。ここで線路側機器は、接地開閉器付き断路器７０（線路側断路器）、線路側接地用の接地開閉器６６、断路器７０の上部に配置された計器用変圧器７２、および断路器７０の下部に配置された例えばケーブルヘッド６４等を備えている。断路器７０は、例えば三つの分岐引出し口６５ａ〜６５ｃを備えた筒状のタンク内に配置されている。分岐引出し口６５ａは、遮断器６１側に引き出されて分岐引出し口６１ａと連結されている。分岐引出し口６５ｂは、遮断器６１と反対側に引き出されて接地開閉器６６に接続されている。また、分岐引出し口６５ｃは、分岐引きし口６５ｂの下方で同じ向きに引き出されているが、図示例では機器が接続されていない。断路器７０の収納するタンクの側面には断路器７０の操作装置７１が設けられている。ケーブルヘッド６４は、図示はしていないが例えば架台等により支持されている。なお、この線路機器の構成は一例であってこれに限定されない。
【００６９】
遮断器６１の上部には、遮断器６１の操作装置６７が設けられている。また、遮断器６１の側方にはＬＣＰ（回路制御盤：Local Control Panel)６８が設けられている。
【００７０】
なお、ＬＣＰ６８は、遮断器６１とは別置にすることもできる。この場合、分岐引出し口６１ａを母線１，２側に引き出し、母線１，２側に引き出された分岐引出し口に線路側機器を接続することもできる。この場合は、線路機器と遮断器６１との間に母線１，２が配置される構成となる。
【００７１】
本実施の形態では、遮断器６１の下部に接続タンク５７を設けるようにしたので、母線接続ユニット（Ｉ）で用いられる遮断器８，２５と同じ形状および大きさの遮断器タンクを用いることができ、遮断器タンクを共通化して製造コストを低減することができる。さらにまた、接続タンク５７の形状は、母線接続ユニット（Ｉ）で用いられる接続タンク３，２７と同じ形状および大きさであるので、同様に製造コストの低下につながる。
【００７２】
なお、実施の形態１〜３では、母線接続ユニット（Ｉ）、母線連絡ユニット（ＩＩ）、および線路ユニット（ＩＩＩ）を含むガス絶縁開閉装置について説明したが、その他、構成に応じて変圧器ユニットを含めることができる。ここで変圧器ユニットは、図１０の構成において計器用変圧器７２を設けない構成としたものである。実施の形態３では、接続する線路側機器の構成を変えることで変圧器ユニットも構成できるので、線路ユニットは変圧器ユニットも含めて総括的な意味で用いている。
【産業上の利用可能性】
【００７３】
以上のように、本発明は、二重母線方式のガス絶縁開閉装置として有用である。
【符号の説明】
【００７４】
１，２  母線
３ａ，３ｂ，８ａ，１４ａ，２４ａ，２５ａ  分岐引出し口
２７ａ，２７ｂ，４２ａ〜４２ｃ  分岐引出し口
４７ａ，５７ａ，５７ｂ，６１ａ，６５ａ〜６５ｃ，８２ａ，８２ｂ  分岐引出し口
３，１５，２３，２７，３７，４２，５７，８２  接続タンク
４  接地開閉器
５，１７，２０，３５，４０，４３，５８，７０  断路器
６，１２，１８，２１，３０，３６，４１，４４，５１  操作装置
５６，５９，６７，７１，９０〜９３  操作装置
７，１１，３３，３４，４６，５０，６０，６３  計器用変流器
８，２５，３２，４７，６１  遮断器
９，１９，２２，５５，６６  接地開閉器
１０，４９，６２  遮断部
１４，２４  傾斜接続タンク
１６，２２  接続母線
２６，８１  間隙
６４  ケーブルヘッド
７２  計器用変圧器
【図１】
2012066616.tif 000003
【図２】
2012066616.tif 000004
【図３】
2012066616.tif 000005
【図４】
2012066616.tif 000006
【図５】
2012066616.tif 000007
【図６】
2012066616.tif 000008
【図７】
2012066616.tif 000009
【図８】
2012066616.tif 000010
【図９】
2012066616.tif 000011
【図１０】
2012066616.tif 000012
【図１１】
2012066616.tif 000013
【国際調査報告】
2012066616.tif 000014
2012066616.tif 000015